(57)【要約】【課題】必要に応じ、椅子の機能を発揮することができる座椅子を提供する。【解決手段】上面に座面２ｓを有する基台部２と、正面に第１の背凭れ面３ｓを有し、基台部２に立設される第１の背凭れ部３と、表面に第２の背凭れ面４ｓを有し、第１の背凭れ部３に設けられた枢支部５０によって第１の背凭れ部３に対し回動可能に取り付けられる第２の背凭れ部４であって、第２の背凭れ面４ｓが第１の背凭れ面３ｓに沿う座椅子位置Ｊと、第２の背凭れ面４ｓが第１の背凭れ面３ｓに対し突出する腰掛け位置Ｋとの間を回動可能である第２の背凭れ部４と、第２の背凭れ部４を腰掛け位置Ｋに保持する保持手段とを備える。【選択図】  図１
2017042451.tif 000002
【特許請求の範囲】
【請求項１】
上面に座面を有する基台部と、
正面に第１の背凭れ面を有し、基台部に立設される第１の背凭れ部と、
表面に第２の背凭れ面を有し、第１の背凭れ部に設けられた枢支部によって第１の背凭れ部に対し回動可能に取り付けられる第２の背凭れ部であって、第２の背凭れ面が第１の背凭れ面に沿う座椅子位置と、第２の背凭れ面が第１の背凭れ面に対し突出する腰掛け位置との間を回動可能である第２の背凭れ部と、
第２の背凭れ部を前記腰掛け位置に保持する保持手段とを備えることを特徴とする椅子になる座椅子。
【請求項２】
前記基台部は、剛性を有する基台フレームと、基台フレームの表面を覆う柔軟性を有する座部クッション材とを備え、
前記第１の背凭れ部は、前記第２の背凭れ部を回動可能に支持する枢支部が設けられた剛性を有する第１背凭れフレームと、第１背凭れフレームの表面を覆う柔軟性を有する第１背凭れクッション材とを備え、
前記第２の背凭れ部は、前記枢支部に回動可能に取り付けられる剛性を有する第２背凭れフレームと、第２背凭れフレームの表面を覆う柔軟性を有する第２背凭れクッション材とを備え、
前記枢支部は、前記保持手段を兼用するものであって、前記第２の背凭れ部を、前記座椅子位置と前記腰掛け位置との間の予め定められる回動途中位置に停止させることが可能である請求項１に記載の椅子になる座椅子。
【請求項３】
前記座部クッション材は、前記基台フレームを覆う主部と、前記主部の正面側へ張り出して設けられる延長部とを有し、該延長部は、前記主部との境界部に沿って折り曲げ可能である請求項１または２に記載の椅子になる座椅子。
【請求項４】
前記第１の背凭れ部は、前記枢支部より上方の予め定められた折り曲げ位置において、該折り曲げ位置よりも上方の部分が正面側へ折り曲げ可能である請求項１〜３のいずれか１つに記載の椅子になる座椅子。
【発明の詳細な説明】
【技術分野】
【０００１】
本発明は、必要に応じ、椅子の機能を発揮することができる座椅子に関する。
【背景技術】
【０００２】
座椅子は、一般に和室などを有する日本式家屋で広く使用されており、様々な構造および材質のものが従来生産されている。例えば、背凭れ部の角度調節が可能なもの、肘掛けを備えるもの、短い脚を有し座面をやや高くしたもの（高座椅子）などが知られている。
【０００３】
上記の他、特許文献１には、正座の姿勢を適正に保つことができるとともに、背筋のストレッチ運動にも利用できる座椅子が記載されている。また特許文献２には、ハンモック機能を備える座椅子が記載されている。
【先行技術文献】
【特許文献】
【０００４】
【特許文献１】実用新案登録第３００６０７２号公報
【特許文献２】特開２０１３−３４７８９号公報
【発明の概要】
【発明が解決しようとする課題】
【０００５】
上に述べたように、座椅子は多機能化、高機能化が図られており、高齢者などが和室で座椅子に座って過ごすときには、きわめて快適に過ごすことができるように工夫されている。しかし、食事をダイニングテーブルなど高さのある食卓でする家庭では、高齢者は座椅子から離れて、ダイニングテーブル用の椅子に座って食事をしなくてはならない。この種の椅子は、座椅子に比べると、座面や背凭れ面のクッション性、座面の広さ、寒冷期に冷たさを感じさせる材質などの点で、高齢者には不満の生じやすい製品が多かった。そこで高齢者が、快適な座椅子での食事を希望するならば、他の家族とは別の座卓などで食事をしなくてはならず、団欒を味わえなくなるという問題があった。
【０００６】
本発明は、和室などでは快適な座椅子として使用することができ、食事などの際には快適な椅子として機能させることが可能な製品を提供することを目的とする。
【課題を解決するための手段】
【０００７】
本発明が、前記目的を達成するために創案した椅子になる座椅子の特徴とするところは、
上面に座面を有する基台部と、
正面に第１の背凭れ面を有し、基台部に立設される第１の背凭れ部と、
表面に第２の背凭れ面を有し、第１の背凭れ部に設けられた枢支部によって第１の背凭れ部に対し回動可能に取り付けられる第２の背凭れ部であって、第２の背凭れ面が第１の背凭れ面に沿う座椅子位置と、第２の背凭れ面が第１の背凭れ面に対し突出する腰掛け位置との間を回動可能である第２の背凭れ部と、
第２の背凭れ部を前記腰掛け位置に保持する保持手段とを備えることである。
【０００８】
また本発明に係る椅子になる座椅子の特徴は、
前記基台部は、剛性を有する基台フレームと、基台フレームの表面を覆う柔軟性を有する座部クッション材とを備え、
前記第１の背凭れ部は、前記第２の背凭れ部を回動可能に支持する枢支部が設けられた剛性を有する第１背凭れフレームと、第１背凭れフレームの表面を覆う柔軟性を有する第１背凭れクッション材とを備え、
前記第２の背凭れ部は、前記枢支部に回動可能に取り付けられる剛性を有する第２背凭れフレームと、第２背凭れフレームの表面を覆う柔軟性を有する第２背凭れクッション材とを備え、
前記枢支部は、前記保持手段を兼用するものであって、前記第２の背凭れ部を、前記座椅子位置と前記腰掛け位置との間の予め定められる回動途中位置に停止させることが可能であることである。
【０００９】
また本発明に係る椅子になる座椅子の特徴は、前記座部クッション材は、前記基台フレームを覆う主部と、前記主部の正面側へ張り出して設けられる延長部とを有し、該延長部は、前記主部との境界部に沿って折り曲げ可能であることである。
【００１０】
また本発明に係る椅子になる座椅子の特徴とするところは、前記第１の背凭れ部は、前記枢支部より上方の予め定められた折り曲げ位置において、該折り曲げ位置よりも上方の部分が正面側へ折り曲げ可能であることである。
【発明の効果】
【００１１】
本発明に係る椅子になる座椅子によれば、基台部に固定された第１の背凭れ部に対し、回動可能な第２の背凭れ部を設け、この第２の背凭れ部を第１の背凭れ面に対し突出する方向に保持することによって、第２の背凭れ部で腰掛け用の座部を構成し、椅子としての機能を発揮させることができる。
【００１２】
また本発明によれば、第２の背凭れ部を回動途中位置に保持することによって、第１の背凭れ面とは異なる傾斜を第２の背凭れ面に与えることができる。すなわち、使用者の好みに合わせて、第２の背凭れ面の角度調節が可能であるので、座椅子としての快適さを向上させることができる。
【００１３】
また本発明によれば、延長部を有するので、座椅子としての使用時に、広い座面を確保することができる。椅子としての使用時には、延長部を折り曲げることにより、第２の背凭れ部に腰掛けた使用者の足元を広くすることができる。
【００１４】
また本発明によれば、第１の背凭れ部の上方部分を折り曲げることによって、背の高さを減少させることができる。したがって、延長部を折り曲げた状態と併用することによって、コンパクトな形態となるから、梱包時の体積が小さくなり、その結果、運搬や搬送が容易になる。
【図面の簡単な説明】
【００１５】
【図１】本発明に係る椅子になる座椅子の一実施形態を示すものであって、図（Ａ）は座椅子形態の斜視図、図（Ｂ）は椅子形態の斜視図である。
【図２】本発明に係る椅子になる座椅子の一実施形態を示すものであって、図（Ａ）は座椅子形態の正面図、図（Ｂ）は座椅子形態の平面図、図（Ｃ）は座椅子形態の右側面図である。
【図３】本発明に係る椅子になる座椅子の一実施形態を示すものであって、図（Ａ）は椅子形態の正面図、図（Ｂ）は椅子形態の平面図、図（Ｃ）は椅子形態の右側面図である。
【図４】本発明に係る椅子になる座椅子の一実施形態を示すものであって、図（Ａ）は内部フレームの斜視図、図（Ｂ）は内部フレームの左側面図である。
【図５Ａ】本発明に係る椅子になる座椅子の一実施形態を示すものであって、座椅子形態から椅子形態へ変更する最初の手順を示す斜視図である。
【図５Ｂ】本発明に係る椅子になる座椅子の一実施形態を示すものであって、座椅子形態から椅子形態へ変更する次の手順を示す斜視図である。
【図５Ｃ】本発明に係る椅子になる座椅子の一実施形態を示すものであって、座椅子形態から椅子形態へ変更するさらに次の手順を示す斜視図である。
【図５Ｄ】本発明に係る椅子になる座椅子の一実施形態を示すものであって、梱包時の形態への変更後を示す斜視図である。
【図６Ａ】本発明に係る椅子になる座椅子の一実施形態を示すものであって、座椅子形態での使用状況を示す左側面図である。
【図６Ｂ】本発明に係る椅子になる座椅子の一実施形態を示すものであって、座椅子形態での異なる使用状況を示す左側面図である。
【図６Ｃ】本発明に係る椅子になる座椅子の異なる実施形態を示すものであって、座椅子形態での使用状況を示す左側面図である。
【図６Ｄ】本発明に係る椅子になる座椅子の一実施形態を示すものであって、椅子形態での使用状況を示す左側面図である。
【図７】本発明に係る椅子になる座椅子の一実施形態を示すものであって、背面側から見た斜視図である。
【発明を実施するための形態】
【００１６】
図１〜図３に、本発明に係る椅子になる座椅子１の一実施形態を示す。図１の図（Ａ）および図２は座椅子形態の外観、図１の図（Ｂ）および図３は椅子形態の外観を示している。
【００１７】
本発明に係る椅子になる座椅子１は、上面に座面２ｓを有する基台部２と、正面に第１の背凭れ面３ｓを有し、基台部１に立設される第１の背凭れ部３と、表面に第２の背凭れ面４ｓを有し、第１の背凭れ部３に設けられた枢支部（後述）によって第１の背凭れ部３に対し回動可能に取り付けられる第２の背凭れ部４とを備える。第２の背凭れ部４は、第２の背凭れ面４ｓが第１の背凭れ面３ｓに沿う座椅子位置Ｊと、第２の背凭れ面４ｓが第１の背凭れ面３ｓに対し突出する腰掛け位置Ｋとの間を回動可能である。また、第２の背凭れ部４を腰掛け位置Ｋに保持するための保持手段が備えられる。本例では、後述するように、枢支部が、保持手段を兼用する構成が採用されている。
【００１８】
本例の椅子になる座椅子１は、図４に示す内部フレーム１０と、この内部フレーム１０の表面を覆うクッション材Ｃ１〜Ｃ３（図１参照）とから構成される。なお図４は、椅子形態のときの内部フレーム１０を示している。内部フレーム１０は、鉄、ステンレス鋼などの金属製パイプなどの剛性を有する部材を組み合わせて製作され、基台部２を構成する基台フレーム２０と、第１の背凭れ部３を構成し、枢支部５０が設けられた第１背凭れフレーム３０と、第２の背凭れ部４を構成し、枢支部５０に回動可能に取り付けられる第２背凭れフレーム４０とを備える。
【００１９】
基台フレーム２０は、矩形の枠部２１と、枠部２１内に配設された補強部２２とを有する。
【００２０】
第１背凭れフレーム３０は、枠部２１および補強部２２に固定される脚部３１と、脚部３１に直角に連接された柱部３２と、柱部３２の上端に回動部３４を介して設けられる上方折り曲げ部３３とを有する。また、適所に、補強部材３５，３６，３７が設けられる。柱部３２は、基台フレーム２０に対しわずかに傾斜するように立設される。基台フレーム２０と柱部３２とが成す正面側の角度αは約１００度に設定するのが好ましい。柱部３２における回動部３４よりも下位の適所には、第２背凭れフレーム４０が取り付けられる枢支部５０が設けられる。上方折り曲げ部３３は、柱部３２の長手方向に沿って連続する初期位置Ｍから、回動部３４を回転軸として、正面側へ約９０度程度折り曲げられる折り曲げ位置Ｎまで回動することが可能である。回動部３４は、上方折り曲げ部３３を、初期位置Ｍおよび折り曲げ位置Ｎそれぞれにおいて固定するロック機構を有してもよい。
【００２１】
枢支部５０は、従来公知の座椅子に使用されているリクライニングギアを用いることができる。この種のリクライニングギアは、金属パイプどうしを接続するとともに、使用者がいずれか一方の金属パイプに回動方向への力を加えることによって、所定の角度ピッチ（例えば１６度）ごとの回動位置まで金属パイプを回動させ、その回動位置で保持する多段階ロック機能（例えば６段階）を有するものである。この機能により、接続した金属パイプどうしの交差角度を多段階（例えば６段階）に変更可能な構成となっている。また、金属パイプどうしの交差角度が予め定めた角度を超えると、ロック機能が解除され、金属パイプどうしの交差角度を初期状態に復帰させることができるように構成されている。このように本例では、枢支部５０にリクライニングギアを適用することによって、枢支部５０が、第２の背凭れ部４を腰掛け位置Ｋに保持する保持手段の機能を兼ね備える。
【００２２】
なお本発明に使用するリクライニングギアは、次のような条件を満たすことが望ましい。
１）第２の背凭れ部４を腰掛け位置Ｋまで回動させて椅子にする際に、座面となる第２の背凭れ面４ｓが保持される角度が分かりやすいこと。
２）第２背凭れ面４ｓの傾斜状態を解除する際の解除位置が分かり易いこと。例えば、傾斜角度を段階的に変更するときの回動角度（例えば１６度）に比べて、解除時の回動角度を大きく（例えば２７度）設定することによって、解除時の回動角度幅を広くして、解除位置が分かり易くなっていること。
３）腰掛け位置Ｋに在る第２の背凭れ部４に使用者が腰掛けたときの荷重を支持し得るだけの耐荷重強度を有していること。
これらの条件に適合する製品として、本例では、向陽技研株式会社製の「ＫＤＳ−６  １．６ストッパー」（直径１９．１ｍｍ、Ｔ−１．６ｍｍ、２４０Ｎｍ）を枢支部５０に採用した。このギア製品は、国産で最大級のギア耐荷重を有するものであり、安全性も高い。上記リクライニングギアを使用すれば、腰掛け位置Ｋに在る第２の背凭れ部４に、静荷重試験にて３００ｋｇ程度の耐荷重強度を保持させることができる。
【００２３】
第２背凭れフレーム４０は、枢支部５０に基端部が接続されたコ字形の回動枠部４１と、回動枠部４１に固定された肘掛け枠部４２とを備える。前述のように、第２背凭れフレーム４０は、枢支部５０が有する多段階ロック機能によって、回動枠部４１が第１背凭れフレーム３０の柱部３２とほぼ平行になる座椅子位置Ｊから、回動枠部４１が柱部３２に対し突出する腰掛け位置Ｋまでの間で、所定の角度ピッチ（例えば１６度）ごとに回動角度を変更させた途中位置に停止させることが可能である。したがって、第２背凭れフレーム４０は、第１背凭れフレーム３０に対する傾斜角度を調節することができる。なお、第２背凭れフレーム４０が腰掛け位置Ｋに在るときにおける回動枠部４１の基台部２０に対する角度βは４〜６度に設定するのが好ましい。角度βをこの範囲に設定することによって、腰掛け位置Ｋに在る第２の背凭れ部４に使用者が座った時に、座面（第２の背凭れ面４ｓ）をほぼ水平に保つことができる。
【００２４】
内部フレーム１０は、必要な強度を確保するため、第１背凭れフレーム３０の脚部３１や補強材３５、第２背凭れフレーム４０の回動枠部４１など、要所を２重パイプで構成してもよい。
【００２５】
前記のように構成された内部フレーム１０の表面をクッション材で覆うことによって、本実施形態の椅子になる座椅子１を製作することができる。クッション材は、発泡ポリウレタンなどから成るスポンジマットのような柔軟性と弾力性とを有し、かつ比較的厚みを有するものを用いるのが望ましい。またクッション材の表面を、布、不織布、皮革、人工皮革などの肌触りが良い材質から成るカバー材で被覆することがより望ましい。さらに、カバー材とクッション材とは一体化させてもよい。この場合、図７に示すように、椅子になる座椅子１の背面側において、カバー材及びクッション材にファスナー等で開閉できる開口部Ｇを設け、この開口部Ｇから内側へ、内部フレーム１０を収納することが考えられる。
【００２６】
図１に示すように、クッション材は、基台フレーム２０を覆う座部クッション材Ｃ１と、第１背凭れフレーム３０を覆う第１背凭れクッション材Ｃ２と、第２背凭れフレーム４０を覆う第２背凭れクッション材Ｃ３とを備える。これら座部クッション材Ｃ１、第１背凭れクッション材Ｃ２および第２背凭れクッション材Ｃ３は、一体に連結してもよい。
【００２７】
座部クッション材Ｃ１は、基台部２の主部２ａを構成する基台フレーム２０を覆う部分と、主部２ａの正面側へ張り出して設けられる延長部２ｂとを有する。延長部２ｂは、主部２ａとの間の境界部２ｃに沿って、主部２ａの座面２ｓへ向かって折り曲げ可能である。なお延長部２ｂは、図１の図（Ｂ）に示す如く、折り曲げたときに底面が上面側に露出し汚れやすいので、この露出する延長部２ｂの底面２ｄの全体または一部を、塩化ビニルなどの汚れが付着しにくい素材で被覆してもよい。また、主部２ａのうち、第１の背凭れ部３より後方へ突出する後方突出部２ｅについては、クッション材の厚みを薄くしてもよい。
【００２８】
第１背凭れクッション材Ｃ２は、胴部３ａを構成する第１背凭れフレーム３０の柱部３２を覆う部分と、頭部３ｂを構成する上方折り曲げ部３３を覆う部分とを有する。胴部３ａを覆うクッション材については、正面側の基台部２に近い領域に凹部３ｄを形成し、座椅子として使用する際の座り心地を向上させている。第１背凭れフレーム３０の上方折り曲げ部３３が、回動部３４において正面側へ折り曲げ可能であるので、第１背凭れクッション材Ｃ２も、回動部３４によって規定される折り曲げ位置３ｃにおいて折り曲げ可能である。
【００２９】
第２背凭れクッション材Ｃ３は、第２背凭れ面４ｓを有する回動背凭れ部４ａを構成する第２背凭れフレーム４０の回動枠部４１を覆う部分と、肘掛け部４ｂを構成する肘掛け枠部４２を覆う部分とを有する。肘掛け部４ｂは、使用者が直に触れることが多い箇所であるので、肘掛け部４ｂの全体または一部４ｃを、塩化ビニルなどの汚れが付着しにくい素材で被覆してもよい。
【００３０】
本発明に係る椅子になる座椅子１の外形寸法は、座椅子としても椅子としても快適に使用できるように設計される。図２および図３に示す各寸法の一例を下に挙げる。なお、下記の数値は例示であり、実施の状況に応じ適宜変更することが可能である。
【００３１】
全体の高さ  Ｈ１：８４０ｍｍ
基台部２の幅Ｗ１：５５０ｍｍ
基台部２の奥行きＤ１：８５０ｍｍ
基台部２の座面の奥行きＳ１：５１０ｍｍ
基台部２の高さＴ１：１２０ｍｍ
基台部２の後方突出部２ｅの厚みＴ２：４０ｍｍ
基台部２の後方突出部の長さＤ２：７０ｍｍ
第１の背凭れ部３の高さＨ２：６８０ｍｍ
第１の背凭れ部３の椅子形態時の背凭れ面の高さＨ３：４４０ｍｍ
第１の背凭れ部３の幅Ｗ２：４００ｍｍ
第１の背凭れ部３の厚みＴ３：７０ｍｍ
第２の背凭れ部４の幅Ｗ３＝Ｗ２
第２の背凭れ部４の第２の背凭れ面４ｓの幅Ｗ４：３８０ｍｍ
第２の背凭れ部４の肘掛け部４ｂを含めた幅Ｗ５：５６０ｍｍ
第２の背凭れ部４の奥行きＳ２：３３０ｍｍ
第２の背凭れ部４の厚みＴ４：８０ｍｍ
第２の背凭れ部４の椅子形態時の第２の背凭れ面４ｓの高さＨ５：４４０ｍｍ
肘掛け部４ｂの奥行きＬ：３１０ｍｍ
肘掛け部４ｂの高さＨ４：２５０ｍｍ
肘掛け部４ｂの厚みＴ５：７０ｍｍ
基台部２の延長部２ｂを折り曲げたときの奥行きＤ３：６００ｍｍ
第１の背凭れ部３の頭部３ｂを折り曲げたときの高さＨ６：５６０ｍｍ
【００３２】
次に、本実施形態の椅子になる座椅子１の使用態様を、図５Ａ〜図５Ｄおよび図６Ａ〜図６Ｄを参照して説明する。椅子になる座椅子１を座椅子として使用する場合、図６Ａに示すように、第２の背凭れ部４の第２の背凭れ面４ｓを、第１の背凭れ部３の第１の背凭れ面３ｓに沿う座椅子位置Ｊに配置した、座椅子形態とする。本例の椅子になる座椅子１は、座椅子形態のとき、基台部２の座面２ｓが広く、また第１の背凭れ部３の第１の背凭れ面３ｓの高さが高いので、着座時の安定感に優れ、座り心地が快適であり、使用者Ｐにくつろぎを与えることができる。
【００３３】
第２の背凭れ部４は、保持手段を兼ねる枢支部５０によって回動可能に支持されるとともに、第１の背凭れ部３に対し傾斜する位置に保持することができる。そこで図５Ａに示すように、使用者Ｐが、座椅子位置Ｊにある第２の背凭れ部４の下端側を持ち、予め定められた角度だけ回動させることによって、図６Ｂに示すように、第２の背凭れ部４の姿勢を、第１の背凭れ部３に対し傾斜させた姿勢に変更することができる。したがって使用者Ｐの好みに応じて、第１の背凭れ面３ｓの傾斜角度とは異なる角度に調整した第２の背凭れ面４ｓを使用できるから、快適さを向上させることができる。
【００３４】
さらに、第２の背凭れ部４を図６Ｃの位置まで回動させて停止させ、第２の背凭れ面４ｓを、第１の背凭れ面３ｓに対し大きく傾斜する姿勢に保持することによって、使用者が、第２の背凭れ部４を利用して、背筋を伸ばすストレッチ運動を行うことができるという使用態様も考えられる。
【００３５】
本例の椅子になる座椅子１を椅子として使用する場合、図５Ｂに示すように、第２の背凭れ部４を、枢支部５０を中心として、第１の背凭れ面３ｓに対し突出する腰掛け位置Ｋまで回動させて椅子形態とする。第２の背凭れ部４は、枢支部５０に設けたリクライニングギアなどの保持手段の機能によって、腰掛け位置Ｋに保持される。使用者Ｐは、図６Ｄに示すように、腰掛け位置Ｋに保持された第２の背凭部４の第２の背凭れ面４ｓを着座面として、腰掛けることができる。したがって本例の椅子になる座椅子１は、ダイニングテーブル６０などで食事をする際のダイニングチェアとして機能することができる。また必要に応じ、基台部２の延長部２ｂを主部３ａに向かって折り曲げることにより、第２の背凭れ部４に腰掛けている使用者Ｐの足元を広くすることができる。
【００３６】
このように本例の椅子になる座椅子１は、椅子形態のとき、第１の背凭れ部３の頭部３ｂが背凭れとして機能するから、安定した座り心地を提供できる。また本例の椅子になる座椅子１は、内部フレーム１０の表面をクッション材で覆う構成であるので、椅子形態で使用する際も、このクッション材による柔軟性、弾力性などの快適さを享受することができる。
【００３７】
本例の椅子になる座椅子１は、図５Ｃおよび図５Ｄに示すように、基台部２の延長部２ｂを折り曲げることによって、奥行き寸法を縮小することができるとともに、第１の背凭れ部３の頭部３ｂを折り曲げることによって、高さ寸法を低減させることができる。本例では、延長部２ｂを折り曲げた状態の基台部２の先端が、腰掛け位置Ｋに在る第２の背凭れ部４の先端と、ほぼ同じ正面位置に位置するように設定され、また、頭部３ｂを折り曲げた状態の第１の背凭れ部３の上端が、第２の背凭れ部４の肘掛け部４ｂの上端位置を超えないように設定される。このような構成により、図５Ｄに示すように、延長部２ｂおよび頭部３ｂを折り曲げれば、コンパクト化が可能なので、梱包時の容積が小さくなり、運搬および搬送を容易化できるという利点がもたらされる。
【００３８】
さらに本実施形態の椅子になる座椅子１は、強度上重要な構成部材である脚部３１および柱部３２（図４（Ａ）参照）を、回動部３４の位置まで二重パイプ構造にすることによって、従来パイプで得られる強度よりも大きい強度を確保している。この構成を採用することによって、本実施形態では、強度を保持するための鋼材の本数を低減し、軽量化を達成しているため（本体重量９．６ｋｇ）、部屋間を移動させる際に運搬が容易であるという利点がもたらされる。
【００３９】
［その他の実施形態］
本発明に係る椅子になる座椅子は、前述の実施形態に限定されるものではない。例えば、肘掛け部４ｂは、省略してもよい。第２の背凭れ部４は、回動角度を段階的に変更可能としたが、座椅子位置Ｊと腰掛け位置Ｋの２つの位置だけ選択できるように構成してもよい。基台部２の延長部２ｂは、必ずしも折り曲げ可能でなくてもよい。その他、実施の状況に応じて、種々変更することが可能である。
【符号の説明】
【００４０】
１  椅子になる座椅子
２  基台部
２ａ  主部
２ｂ  延長部
２ｓ  座面
３  第１の背凭れ部
３ａ  胴部
３ｂ  頭部
３ｓ  第１の背凭れ面
４  第２の背凭れ部
４ａ  回動背凭れ部
４ｂ  肘掛け部
４ｓ  第２の背凭れ面
１０  内部フレーム
２０  基台フレーム
３０  第１背凭れフレーム
４０  第２背凭れフレーム
５０  枢支部（保持手段）
Ｊ  座椅子位置
Ｋ  腰掛け位値
Ｐ  使用者
【図１】
2017042451.tif 000003
【図２】
2017042451.tif 000004
【図３】
2017042451.tif 000005
【図４】
2017042451.tif 000006
【図５Ａ】
2017042451.tif 000007
【図５Ｂ】
2017042451.tif 000008
【図５Ｃ】
2017042451.tif 000009
【図５Ｄ】
2017042451.tif 000010
【図６Ａ】
2017042451.tif 000011
【図６Ｂ】
2017042451.tif 000012
【図６Ｃ】
2017042451.tif 000013
【図６Ｄ】
2017042451.tif 000014
【図７】
2017042451.tif 000015